【事件の表示】
　特許第２８９９７９５号に関する訂正審判事件について、次のとおり審決する。
【結　論】
　特許第２８９９７９５号に係る明細書及び図面を本件審判請求書に添付された訂正明細書及び図面のとおり訂正することを認める。
【理　由】
 １．請求の要旨
　本件審判の請求の要旨は、特許第２８９９７９５号発明（平成８年５月８日特許出願、平成１１年３月１９日設定登録）の明細書及び図面を審判請求書に添付した訂正明細書及び図面のとおり、すなわち、下記訂正事項のとおり訂正することを求めるものである。
訂正事項イ
　特許請求の範囲の請求項６中の「・・・仮固定たもの・・・」を「・・・仮固定したもの・・・」と訂正する。
訂正事項ロ
　特許請求の範囲の請求項１１を
「【請求項１１】下層複合吸収シートの下層裏張りシートと上層複合吸収シートの上層裏張りシートが圧着プレスの凹凸面によって形成された凹凸面で嵌合して仮固定されている請求項１０記載の多層生理用品。」と訂正する。
訂正事項ハ
　明細書段落０００４の記載を次のとおり訂正する。
「【0004】
【課題を解決するための手段】
　本発明者は、現在、吸水性高分子からなる液体吸収材質の進歩によって、液体吸収シートが非常に薄くなって、しかも大きい吸収能力を有する点、従来の１個のパッケージにつき一度の使用で使い切る生理用品を、液体吸収シート部分に同一のシートを２〜５枚重ねても、未吸収の液体吸収シートは非常に薄い厚さであるので、その厚さはあまり増加せず、装着感及び外観にも殆ど変化がない点、及び公知の液体吸収シートの上に、同一の吸収シートを２〜５枚を各シートを個別的に分離状態で重ねた液体吸収シートを使用すれば、単に上層の使用済み液体吸収シートのみを剥がすことによって、その下にあるまったく汚れていない生理用品が露出され、短時間で新しい生理用品に取り替えた状態になる。その結果、１個のパッケージで従来の２〜５個分の生理用品の装着が可能となり、予備の生理用品パッケージを携帯する必要がない点に着目し、この発想に基づき鋭意研究を重ね、使用済み上層液体吸収シートの取り外し操作が容易で、かつ製造に便利な積層液体吸収シートを有する多層生理用品及びその製造方法を提供するに至ったものである。
　従来より、吸収量を増加させる目的又は横もれ防止の目的で液体吸収シートを多層にする技術思想は実用化されているが、上層液体吸収シートの吸収液が下層に積層された液体吸収シートに浸透しない構造、すなわち各液体吸収シート間で液体が透過しない遮断層による分離状態の積層構造であって各液体吸収シートの積層間が指ではがし易い積層構造は存在しない。
　すなわち、本発明は、次の各項の発明よりなるものである。
（１）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周縁と上層複合吸収シートの上層裏張りシートの周縁同士を仮固定するに際して、該仮固定が上層複合吸収シートの裏面に予め塗布された感圧接着剤層を介在させた圧着によって行うものである２枚以上の複合吸収シートの積層構造を有することを特徴とする多層生理用品。
（２）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周縁と上層複合吸収シートの上層裏張りシートの周縁同士を仮固定するに際して、該仮固定が下層複合吸収シートの下層裏張りシートの周縁に剥離剤層を介在させて塗布された感圧接着剤に上層複合吸収シートの上層裏張りシートを圧着してなるものである２枚以上の複合吸収シートの積層構造を有することを特徴とする多層生理用品。
（３）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周縁と上層複合吸収シートの上層裏張りシートの周縁同士を仮固定するに際して、該仮固定が、下層複合吸収シートの熱可塑性樹脂製裏張りシートの周縁と上層複合吸収シートの熱可塑性樹脂製裏張りシートの周縁との間に溶着防止剤を介在させたヒートシールによる半溶着固定である２枚以上の複合吸収シートの積層構造を有することを特徴とする多層生理用品。
（４）ヒートシールによる半溶着が熱刃による溶断によって行ったものである第（３）項記載の多層生理用品。
（５）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周縁と上層複合吸収シートの上層裏張りシートの周縁同士を仮固定するに際して、該仮固定が、下層複合吸収シートの下層裏張りシートと上層複合吸収シートの上層裏張りシートの周縁の一部又は全周を感熱接着剤層を介させた熱圧着により固定したものである２枚以上の複合吸収シートの積層構造を有することを特徴とする多層生理用品。
（６）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周縁と上層複合吸収シートの上層裏張りシートの周縁同士を仮固定するに際して、該仮固定が、上層複合吸収シートの上層裏張りシートが下層複合吸収シートの下層裏張りシートと一体的な連続シートよりなるものを境界線で折り曲げて重ねてなる多層構造において、その境界線付近に１以上のミシン目を設け、該折り曲げ境界線の反対側の周縁の下層複合吸収シートの表面と上層複合吸収シートの裏面との間を仮固定したものである２枚以上の複合吸収シートの積層構造を有することを特徴とする多層生理用品。
（７）仮固定が上層複合吸収シートの裏面に予め塗布された感圧接着剤層を介在させた圧着によって行うものである第（６）項記載の多層生理用品。
（８）仮固定が下層複合吸収シートの下層裏張りシートの周縁に剥離剤層を介在させて塗布された感圧接着剤に上層複合吸収シートの上層裏張りシートを圧着してなるものである２枚以上の複合吸収シートの積層構造を有することを特徴とする多層生理用品。
（９）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周縁と上層複合吸収シートの上層裏張りシートの周縁同士を仮固定するに際して、該仮固定が複数の複合吸収シートを重ねて、全部の裏張りシートの周縁の一部又は全周を熱融着によって一旦結合して、その熱融着の内側に切断ミシン目を設けたものである２枚以上の複合吸収シートの積層構造を有することを特徴とする多層生理用品。
（１０）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周縁と上層複合吸収シートの上層裏張りシートの周縁同士を仮固定するに際して、該仮固定が、下層裏張りシートと上層裏張りシートの少なくとも一縁を単に機械的圧着により仮固定したものである２枚以上の複合吸収シートの積層構造を有することを特徴とする多層生理用品。
（１１）下層複合吸収シートの下層裏張りシートと上層複合吸収シートの上層裏張りシートが圧着プレスの凹凸面によって形成された凹凸面で嵌合して仮固定されている第（１０）項記載の多層生理用品。
（１２）裏面に液体吸収体シートと略同一寸法の裏張りシートを有し、表面に略同一寸法の多孔費カバーフイルムを有する複合吸収シートの多層構造において、上層複合吸収シートを、下層の複合吸収シートの表面多孔質カバーフイルムと上層複合吸収シートの裏面の裏張りシートの一部又は全部を、上層複合吸収シートの裏面の裏張りシートに予め塗布された感圧接着剤層を介在させた圧着によって仮固定した２枚以上の複合吸収シートの積層構造を有することを特徴とする多層生理用品。
（１３）裏面に液体吸収体シートと略同一寸法の裏張りシートを有し、表面に略同一寸法の多孔質カバーフイルムを有する複合吸収シートの多層構造において、上層複合吸収シートを、下層の複合吸収シートの表面多孔質カバーフイルムと上層複合吸収シートの裏面の裏張りシートの一部又は全部を、下層複合吸収シートの下層裏張りシートの周縁に剥離剤層を介在させて塗布された感圧接着剤に上層複合吸収シートの上層裏張りシートを圧着して仮固定してなるものである２枚以上の複合吸収シートの積層構造を有することを特徴とする多層生理用品。
（１４）裏面に液体吸収体シートと略同一寸法の裏張りシートを有し、表面に略同一寸法の多孔質カバーフイルムを有する複合吸収シートの多層構造において、上層複合吸収シートを、下層の複合吸収シートの表面多孔質カバーフイルムと上層複合吸収シートの裏面の裏張りシートの一部又は全部を、感熱接着剤又は弱接着性感圧接着剤によって各積層間を仮固定した２枚以上の複合吸収シートの積層構造を有することを特徴とする多層生理用品。
（１５）裏面に液体吸収体シートより寸法の大きい下層裏張りシートを有する下層複合吸収シートの上に、裏面に上層裏張りシートを有する上層複合吸収シートを裏面側を下にして重ね、下層複合吸収シートの液体吸収体シートの面積寸法より外側にはみ出した下層裏張りシート周緑と上層複合吸収シートの上層裏張りシートの周縁同士を仮固定するに際して、該仮固定が２枚以上の複合吸収シートを重ねた多層構造であって、各裏張りシートの周縁がその下層の裏張りシートの周縁の外側にまで拡張された拡張周縁を有し、積層構造の最下層裏張りシートの裏面並びにそれに積層された２以上の複合吸収シートの裏張りシートの周縁を１層下の裏張りシートの周縁よりはみ出した拡張周縁とし、その拡張周縁の裏面に感圧接着剤層を設け、その各複合吸収シートの全感圧接着剤層を剥離紙で覆って該多層構造を固定した２枚以上の複合吸収シートの積層構造を有することを特徴とする多層生理用品。
（１６）複合吸収シートが裏面に表側にひっくりかえして包装できるフイルムを積層してなるものである第（１）〜（１５）項記載のいずれか記載の多層生理用品。
（１７）２枚以上の長尺の熱可塑性樹脂製裏張りシート、２枚以上の長尺の熱可塑性樹脂製多孔質フイルムシート及び２層以上の高分子吸収体シートを用いて、多層生理用品を連続的に製造する工程において、長尺の熱可塑性樹脂製多孔質フイルムシート上面に、長尺の熱可塑性樹脂製裏張りシートを連続的に送り出して、両シート間の側縁に接着剤を介在させて圧着して形成した接着仮固定積層シートを１枚以上用意し、当該接着仮固定積層シートの間に高分子吸収体シートを挟持させた後、側縁を熱シール又は溶断することにより、各接着仮固定積層シートの積層間には半溶着状態を形成し、各接着仮固定積層シートの上層又は下層の接着固定シートの裏張りシート又は多孔質フイルムシートとの間には溶着状態を形成させることを特徴とする多層生理用品の製造方法。
（１８）２枚以上の長尺の熱可塑性樹脂製裏張りシート、２枚以上の長尺の熱可塑性樹脂製多孔質フイルムシート及び２層以上の高分子吸収体シートを用いて、多層生理用品を連続的に製造する工程において、長尺の熱可塑性樹脂製多孔質フイルムシート上面に、長尺の熱可塑性樹脂製裏張りシートを連続的に送り出して、両シート間の側縁に接着剤を介在させて圧着して形成した接着仮固定積層シートを１枚以上用意し、各接着仮固定積層シートを該接着仮固定積層シートより幅の狭い２層以上の長尺の高分子吸収体シートの各層間にそれぞれ介在させて積層して高分子吸収体シートと接着仮固定積層シートが交互に重なる交互積層シートを形成させ、該交互積層シートの最上面に１枚の長尺の表面熱可塑性樹脂製多孔質フイルムシートを積層し、該交互積層シートの最下面には、１枚の長尺の裏面熱可塑性樹脂製裏張りシートを積層して所定枚数の高分子吸収体シートを含む長尺の多層積層シートを形成し、該多層積層シートの中の長尺の接着仮固定積層シート側縁を熱シール若しくは溶断することにより、各接着仮固定積層シートの側縁は、その下方にある裏面裏張りシート若しくは下方にある接着仮固定積層シートの上面、並びに、その上方にある接着仮固定積層シートの下面若しくは表面熱可塑性樹脂製多孔質フイルムシートの各シートの側縁に融着固定され、また、各接着仮固定積層シートの長尺の熱可塑性樹脂製多孔質フイルムシートとその直上の長尺の熱可塑性樹脂製裏張りシートの側縁は接着剤の介在による熱シール若しくは溶断による半溶着仮固定を形成せしめ、ここに形成された長尺の多層積層体を所定の間隔毎に切断することを特徴とする多層生理用品の製造方法。
（１９）高分子吸収体シートが布状であることを特徴とする第（１７）項記載の多層生理用品の製造方法。
（２０）長尺の熱可塑性樹脂製裏張りシートの上面に、長尺の熱可塑性樹脂製多孔質フイルムとを連続的に送り出して、両シート間に接着剤を介在させて圧着して両シートを接合して形成した積層シートを所望により複数枚用意し、別に、裏面に感圧接着剤を塗布した熱可塑性樹脂製剥離紙を貼着した１枚の長尺の熱可塑性樹脂製裏張りシートの上に、前記積層シートの幅より狭い所定の長さの高分子吸収体シートを一定間隔を空けて該高分子吸収体の長さ方向を前記積層シートの長手方向に対して平行又は垂直方向に設置して、その上に、別の長尺の前記積層シートを重合して、さらに、その上に、所定の長さの高分子吸収体シートを一定間隔を空けて下層の高分子吸収シートと重なる位置に設置し、所望により、前記積層シートの積層と所定の長さの高分子吸収体シートの設置を１回以上繰り返した後、最上層に多孔質フイルムを積層して、所望の枚数の高分子吸収体シートを有する長尺の複合積層シートを形成して、該複合積層シートを連続的に熱シール工程台に送り出して、高分子吸収体シートの外側側縁で、前記積層シート同士をヒートシール若しくは溶断により接合し、最後に、内部に設置された所定の長さの高分子吸収体シートの間を溶断又は熱圧着後の機械的切断により分離することを特徴とする多層生理用品の製造方法。
（２１）長尺の熱可塑性樹脂製裏張りシートの上面に、長尺の熱可塑性樹脂製多孔質フイルムとを連続的に送り出して、両シート間に接着剤を介在させて圧着して両シートを接合して形成した積層シートを所望により複数牧用意し、別に、１枚の長尺の熱可塑性樹脂製裏張りシートの上に、前記積層シートの幅より狭い所定の長さの高分子吸収体シートを一定間隔を空けて該高分子吸収体の長さ方向を前記積層シートの長手方向に対して平行又は垂直方向に設置して、その上に、別の長尺の前記積層シートを重合して、さらに、その上に、所定の長さの高分子吸収体シートを一定間隔を空けて下層の高分子吸収体シートと重なる位置に設置し、所望により、前記積層シートの積層と所定の長さの高分子吸収体シートの設置を１回以上繰り返した後、最上層に多孔質フイルムを積層して、所望の枚数の高分子吸収体シートを有する長尺の複合積層シートを形成して、該複合積層シートを連続的に熱シール工程台に送り出して、高分子吸収体シートの外側側縁で、前記積層シート同士をヒートシール若しくは溶断により接合し、該熱シール工程の前又は後に該複合積層シートの裏面中央に感圧接着剤を塗布した長尺の熱可塑性樹脂製剥離紙を貼着し、最後に、内部に設置された所定の長さの高分子吸収体シートの間を溶断又は熱圧着後の機械的切断により分離することを特徴とする多層生理用品の製造方法。」
２．当審の判断
　そこで、これらの訂正事項について検討すると、上記訂正事項イは、「・・・仮固定たもの・・・」を「・・・仮固定したもの・・・」と訂正する、というものであるから、誤記の訂正を目的とするものであることは明らかである。
　上記訂正事項ロは、引用する請求項を「請求項９」から「請求項１０」に訂正する、というものである。
　まず、請求項１１が、請求項９を引用することができるか否か検討すると、請求項１１においては、下層複合吸収シートの下層裏張りシートと上層複合吸収シートの上層裏張りシートの仮固定を圧着プレスの凹凸面によって形成された凹凸面で嵌合することによる仮固定に特定するものであるところ、請求項９においては、「・・・該仮固定が複数の複合吸収シートを重ねて、全部の裏張りシートの周縁の一部又は全周を熱融着によって一旦結合して、その熱融着の内側に切断ミシン目を設けたものである・・・」と記載され、請求項１１における「圧着プレスの凹凸面によって形成された凹凸面で嵌合することによる仮固定とは全く別異の、熱融着とミシン目との組み合わせという固定手段であるので、請求項１１は請求項９を引用できないものであることは明らかである。
  次に、いずれの請求項が本来請求項１１によって引用されるべきものかについて検討するが、請求項が引用できるのは当該請求項より先行する請求項であるから、請求項１〜８及び１０について、いずれの請求項が本来請求項１１によって引用されるべきものかについて検討する。
　請求項１においては、「・・・下層裏張りシート周縁と上層複合吸収シートの上層裏張りシートの周縁同士を仮固定するに際して、該仮固定が上層複合吸収シートの裏面に予め塗布された感圧接着剤層を介在させた圧着によって行う・・」ものであるから、請求項１１における機械的仮固定とは異なる、感圧接着剤を介在させるという仮固定手段であるので、請求項１１が請求項１を引用できないものであることは明らかである。
  請求項２においては、「・・・該仮固定が下層複合吸収シートの下層裏張りシートの周縁に剥離剤層を介在させて塗布された感圧接着剤に上層複合吸収シートの上層裏張りシートを圧着してなる・・・」ものであるから、請求項１１における機械的仮固定とは異なる、感圧接着剤と剥離剤層とを組み合わせるという仮固定手段であるので、請求項１１が請求項２を引用できないものであることは明らかである。
  請求項３においては、「・・・該仮固定が、下層複合吸収シートの熱可塑性樹脂製裏張りシートの周縁と上層複合吸収シートの熱可塑性樹脂製裏張りシートの周縁との間に溶着防止剤を介在させたヒートシールによる半溶着固定である・・・」ものであるから、請求項１１における機械的仮固定とは異なる、半溶着固定という仮固定手段であるので、請求項１１が請求項３を引用できないものであることは明らかである。
  請求項４は、請求項３を引用するものであるから、請求項３に対する理由と同様の理由で、請求項１１が請求項４を引用できないものであることは明らかである。
　請求項５においては、「・・・該仮固定が、下層複合吸収シートの下層裏張りシートと上層複合吸収シートの上層裏張りシートの周縁の一部又は全周を感熱接着剤層を介させた熱圧着により固定したものである・・・」ものであるから、請求項１１における機械的仮固定とは異なる、感熱接着剤を介させた仮固定手段であるので、請求項１１が請求項５を引用できないものであることは明らかである。
　請求項６においては、「・・・該仮固定が、上層複合吸収シートの上層裏張りシートが下層複合吸収シートの下層裏張りシートと一体的な連続シートよりなるものを境界線で折り曲げて重ねてなる多層構造において、その境界線付近に１以上のミシン目を設け、該折り曲げ境界線の反対側の周縁の下層複合吸収シートの表面と上層複合吸収シートの裏面との間を仮固定したものである・・・」のに対して、請求項１１においては、下層複合吸収シートの下層裏張りシートと上層複合吸収シートの上層裏張りシートの仮固定を圧着プレスの凹凸面によって形成された凹凸面で嵌合することによる仮固定に特定するものであるので、ミシン目を設けるものではなく、請求項１１が請求項６を引用できないものであることは明らかである。
　請求項７は、請求項６を引用するものであるから、請求項６に対する理由と同様の理由で、請求項１１が請求項７を引用できないものであることは明らかである。
　請求項８は、「仮固定が下層複合吸収シートの下層裏張りシートの周縁に剥離剤層を介在させて塗布された感圧接着剤に上層複合吸収シートの上層裏張りシートを圧着してなるものである・・・」から、請求項１１における機械的仮固定とは異なる、感圧接着剤を用いた仮固定手段であるので、請求項１１が請求項８を引用できないものであることは明らかである。
　請求項１０は、「・・・該仮固定が、下層裏張りシートと上層裏張りシートの少なくとも一縁を単に機械的圧着により仮固定したものである・・・」から、請求項１１で採用している「・・・下層複合吸収シートの下層裏張りシートと上層複合吸収シートの上層裏張りシートの仮固定を圧着プレスの凹凸面によって形成された凹凸面で嵌合することによる仮固定・・・」の上位にあたる機械的圧着を規定する請求項１０を引用することができるものであることは明らかである。
　したがって、請求項１１は請求項９を引用することはできず、引用できるのは請求項１０のみであるので、請求項１１において引用されている「請求項９」は「請求項１０」の誤記であることは明らかである。
　訂正事項ハは、訂正事項イ及びロによって特許請求の範囲が訂正されたことに伴い、明細書の詳細な説明の欄の記載を整合させるものであるので、明りょうでない記載の釈明を目的とするものである。
　そして、上記各訂正は、願書に最初に添付した明細書又は図面に記載された事項の範囲内のものであって、かつ、実質上特許請求の範囲を拡張し又は変更するものではない。
　また、訂正後における特許請求の範囲に記載されている発明が、特許出願の際独立して特許を受けることができない発明でもない。
３．むすび
　したがって、本件審判の請求は、特許法第１２６条第１項ただし書第２号およびただし書第３号に掲げる事項を目的とし、かつ、同条第２項ないし第４項の規定に適合する。
　よって、結論のとおり審決する。